(57)【要約】【課題】表示器と一体に構成される数値制御装置であって、数値制御装置の内部に切削液等が浸入することを抑制することができる数値制御装置を提供する。【解決手段】表示器１２と一体に接続される数値制御装置１０であって、表示器１２の背面１２ａに設置され、少なくとも表示器１２の背面１２ａと対向する前面１８ｄが覆われている箱型の筐体１８と、筐体１８内に収容されているバックボード５２と、筐体１８の表示器１２の背面１２ａと対向する前面１８ｄから外部に露出し、バックボード５２と表示器１２とを接続するコネクタ２８と、表示器１２の背面１２ａから突出して形成され、コネクタ２８の上方を覆う屋根部２６と、を有する。【選択図】図３
2019109561.tif 000002
【特許請求の範囲】
【請求項１】
表示器と一体に接続される数値制御装置であって、
前記表示器の背面に設置され、少なくとも前記表示器の背面と対向する面が覆われている箱型の筐体と、
前記筐体内に収容されているプリント基板と、
前記筐体の前記表示器の背面と対向する面から外部に露出し、前記プリント基板と前記表示器とを接続するコネクタと、
前記表示器の背面から突出して形成され、前記コネクタの上方を覆う屋根部と、
を有する、数値制御装置。
【請求項２】
請求項１に記載の数値制御装置であって、
前記屋根部は、前記屋根部の少なくとも一部が前記筐体の内部に位置する、数値制御装置。
【請求項３】
請求項２に記載の数値制御装置であって、
前記屋根部は、前記コネクタの上面および側面を覆っている、数値制御装置。
【請求項４】
請求項１に記載の数値制御装置であって、
前記屋根部は、前記筐体の上面の上方に位置する、数値制御装置。
【請求項５】
請求項４に記載の数値制御装置であって、
前記筐体の前記上面は、前記表示器と対向する面から、前記表示器と対向する面と反対側の面に向かって、下る方向に傾斜する傾斜面を有し、
前記傾斜面は、前記数値制御装置を背面側から見たときに、少なくとも前記屋根部が設けられている位置に形成されている、数値制御装置。
【発明の詳細な説明】
【技術分野】
【０００１】
本発明は、表示器と一体に構成される数値制御装置に関する。
【背景技術】
【０００２】
下記特許文献１には、液晶表示装置の背面にＣＮＣプリント基板を搭載した数値制御装置が開示されている。
【先行技術文献】
【特許文献】
【０００３】
【特許文献１】特開平０９−０６９００４号公報
【発明の概要】
【発明が解決しようとする課題】
【０００４】
上記特許文献１の技術では、ＣＮＣプリント基板と液晶表示装置とを接続する必要があるが、数値制御装置は工作機械等の近傍に配置されるため、数値制御装置に切削液等が飛散し、ＣＮＣプリント基板に搭載されている電子部品等に切削液等が付着するおそれがある。
【０００５】
本発明は、上記の問題を解決するためになされたものであり、表示器と一体に構成される数値制御装置であって、数値制御装置の内部に切削液等が浸入することを抑制することができる数値制御装置を提供することを目的とする。
【課題を解決するための手段】
【０００６】
本発明の態様は、表示器と一体に接続される数値制御装置であって、前記表示器の背面に設置され、少なくとも前記表示器の背面と対向する面が覆われている箱型の筐体と、前記筐体内に収容されているプリント基板と、前記筐体の前記表示器の背面と対向する面から外部に露出し、前記プリント基板と前記表示器とを接続するコネクタと、前記表示器の背面から突出して形成され、前記コネクタの上方を覆う屋根部と、を有する。
【発明の効果】
【０００７】
本発明によれば、表示器と一体に構成される数値制御装置であって、数値制御装置の内部に切削液等が浸入することを抑制することができる。
【図面の簡単な説明】
【０００８】
【図１】数値制御装置を左後方から見た模式斜視図である。
【図２】数値制御装置の模式右側面図である。
【図３】数値制御装置の模式右側面図であり、筐体を取り除いた状態の図である。
【図４】表示器を後方から見た図である。
【図５】筐体を前方から見た図である。
【図６】数値制御装置の模式右側面図である。
【図７】数値制御装置の模式背面図である。
【図８】数値制御装置の模式上面図である。
【発明を実施するための形態】
【０００９】
〔第１の実施の形態〕
［数値制御装置の構成］
本実施の形態の数値制御装置１０は、表示器１２を有し、表示器１２と一体に形成されている。数値制御装置１０は、工作機械等を数値制御する装置であって、工作機械等のハウジング１４にネジ１６等によって取り付けられて使用される。
【００１０】
図１は、数値制御装置１０を左後方から見た模式斜視図である。図２は、数値制御装置１０の模式右側面図である。図３は、数値制御装置１０の模式右側面図であり、筐体１８を取り除いた状態の図である。図２および図３は、数値制御装置１０が工作機械等の制御装置のハウジング１４に取り付けられている状態の図を示している。図４は、表示器１２を後方から見た図である。図５は、筐体１８を前方から見た図である。
【００１１】
以下では、図１における数値制御装置１０の表示器１２側を前、数値制御装置１０の筐体１８側を後と記載している。また、以下では、図１における数値制御装置１０の上方を上、下方を下と記載する。さらに、以下では、数値制御装置１０を正面から見た状態で左方を左、右方を右と記載する。ただし、数値制御装置１０が、図１に示すように設置した状態で使用されなければならないことを限定するものではない。
【００１２】
表示器１２は、液晶パネルや有機エレクトロルミネッセンスパネル（有機ＥＬパネル）等である。表示器１２の後側の面である背面１２ａには、数値制御を行う電子部品等が搭載されたバックボード５２、メインボード２０および制御ボード５０を収容する筐体１８が取り付けられている（図１、図２、図３）。
【００１３】
表示器１２の背面１２ａには、メインボード２０および制御ボード５０が接続されたバックボード（プリント基板）５２と相互に通信可能に接続するためのコネクタ２２、筐体１８を表示器１２に固定するための被係合部２４、表示器１２に対する筐体１８の位置決めを行う板部材３２、および、コネクタ２２等の上方および側方を覆う屋根部２６が設けられている（図３、図４）。
【００１４】
コネクタ２２は、表示器１２の背面１２ａの上方の外周部分に設けられている。コネクタ２２は、バックボード５２に設置されているコネクタ２８と接続される。屋根部２６は、コネクタ２２の近傍に、表示器１２の背面１２ａに対して立設して形成されている。筐体１８が表示器１２に取り付けられている状態で、屋根部２６は、コネクタ２８と筐体１８の開口部４６との間の隙間に挿入され、屋根部２６により、コネクタ２２およびコネクタ２８の上方および側方が覆われている（図３）。これにより、表示器１２と筐体１８との間の隙間から浸入した切削液等がコネクタ２２およびコネクタ２８に付着することを抑制している。
【００１５】
被係合部２４は、表示器１２の背面１２ａの左右両側の外周部分に設けられている。被係合部２４は、表示器１２の背面１２ａに対して立設して形成されている。筐体１８が表示器１２に取り付けられている状態で、被係合部２４が筐体１８に形成された挿入孔４０に挿入されることにより、被係合部２４に後述する係合爪３０が係合される。これにより、筐体１８が表示器１２に対して固定される。
【００１６】
板部材３２は、表示器１２の背面１２ａの上部の外周部分の２か所に設けられている。板部材３２は、表示器１２の背面１２ａに対して立設されている。表示器１２の背面１２ａに筐体１８が取り付けられた状態で、板部材３２が筐体１８に形成された挿入孔３４に挿入されて、表示器１２に対する筐体１８の位置決めがなされる。
【００１７】
筐体１８内には、バックボード５２に接続されたメインボード２０および制御ボード５０が収容されている（図３）。バックボード５２のコネクタ５４にメインボード２０のコネクタ５６が接続され、バックボード５２のコネクタ５８に制御ボード５０のコネクタ６０が接続されている。
【００１８】
メインボード２０は、数値制御装置１０内で最も面積の大きい基板であって、筐体１８の表示器１２側（前側）に設けられた図示しないスロットに収容されている。制御ボード５０は、メインボード２０よりも面積が小さい基板であって、メインボード２０が収容されるスロットよりも後側に設けられた図示しないスロットに収容されている。図３では、１枚の制御ボード５０しか見えていないが、筐体１８内には複数の制御ボード５０が収容されている。
【００１９】
筐体１８は樹脂材料等により形成され、筐体１８の上方、左方、右方、前方、後方は、それぞれ上面１８ａ、左面１８ｂ、右面１８ｃ、前面１８ｄ、後面１８ｅによって、略全面が覆われている箱型の筐体である。一方、筐体１８の下方は、下面１８ｆによって一部が覆われているものの、開口部が設けられ、開口部から通信ケーブル３６等が接続されるコネクタ４８が、筐体１８の外部に露出された状態で設けられている。筐体１８の左面１８ｂには、通気孔３８が形成されている。メインボード２０および制御ボード５０に搭載された電子部品が発する熱は、図示しない冷却ファンにより通気孔３８から排出される。
【００２０】
筐体１８の左面１８ｂおよび右面１８ｃには、それぞれラッチ機構４２が形成されている（図２）。ラッチ機構４２は、表示器１２の被係合部２４に係合する係合爪３０、および、係合爪３０と被係合部２４との係合を解除する操作部４４を有している。操作部４４が押圧されることにより、係合爪３０と被係合部２４との係合が解除される。
【００２１】
筐体１８の前面１８ｄには、表示器１２の板部材３２が挿入される挿入孔３４、表示器１２の被係合部２４が挿入される挿入孔４０、および、バックボード５２のコネクタ２８を外部に露出させるための開口部４６が開口している（図５）。
【００２２】
挿入孔３４は、筐体１８の前面１８ｄの上部の外周部分の２か所に設けられている。挿入孔４０は、筐体１８の正面の左右両側の外周部分に設けられている。開口部４６は、筐体１８の正面の上部に設けられている。開口部４６は、コネクタ２８よりも若干大きく形成されており、コネクタ２８の上方および側方に隙間を有している。この隙間に、表示器１２の屋根部２６が挿入されている。
【００２３】
［作用効果］
数値制御装置１０は、工作機械等の制御装置のハウジング１４に取り付けられて使用される。ハウジング１４と表示器１２の背面１２ａとの間には隙間が生じ、また、表示器１２に切削液等が飛散するため、表示器１２と筐体１８との間の隙間から切削液等が浸入するおそれがある。これに対し、筐体１８の表示器１２に対向する面である前面１８ｄを略全面覆うようにして、筐体１８の内部に切削液等が浸入することを抑制している。しかし、バックボード５２のコネクタ２８と表示器１２のコネクタ２２との接続のため、筐体１８の前面１８ｄにバックボード５２のコネクタ２８を外部に露出させるための開口部４６を形成する必要があり、依然として切削液等がバックボード５２のコネクタ２８や表示器１２のコネクタ２２に付着するおそれがあった。
【００２４】
そこで本実施の形態の数値制御装置１０では、表示器１２の背面１２ａから突出して形成され、バックボード５２のコネクタ２８や表示器１２のコネクタ２２の上方および側方を覆う屋根部２６を設けるようにした。これにより、バックボード５２のコネクタ２８や表示器１２のコネクタ２２への切削液の付着を抑制することができる。
【００２５】
また本実施の形態の数値制御装置１０では、バックボード５２のコネクタ２８を外部に露出させるための開口部４６に、屋根部２６が挿入されることにより、屋根部２６が筐体１８の内部に位置するようにした。屋根部２６と開口部４６との間をラビリンス構造とすることができ、バックボード５２のコネクタ２８や表示器１２のコネクタ２２への切削液の付着を、より抑制することができる。
【００２６】
〔第２の実施の形態〕
第１の実施の形態では、屋根部２６が筐体１８の開口部４６に挿入されるようにし、屋根部２６の一部が筐体１８の内部に位置するようにしていた。第２の実施の形態では、屋根部２６が筐体１８の上面１８ａよりも上方に設けられるようにした。図６は、数値制御装置１０の模式右側面図である。図７は、数値制御装置１０の模式背面図である。図８は、数値制御装置１０の模式上面図である。
【００２７】
屋根部２６は、コネクタ２２の上方に、表示器１２の背面１２ａに対して立設して形成されている。筐体１８が表示器１２に取り付けられている状態で、屋根部２６は筐体１８の上面１８ａよりも上方に位置するように設けられている（図６、図７）。
【００２８】
筐体１８が表示器１２に取り付けられている状態で、筐体１８の上面１８ａであって、屋根部２６の後部分には傾斜面１８ｇが設けられている（図６、図８）。傾斜面１８ｇは、溝状に形成されており、前面１８ｄ側から後面１８ｅ側に向かって下る方向に傾斜して形成されている（図６）。数値制御装置１０を後方から見たときに、傾斜面１８ｇは屋根部２６が設けられている位置に形成されている（図７）。
【００２９】
［作用効果］
本実施の形態の数値制御装置１０では、屋根部２６が筐体１８の上面１８ａの上方に設けられている。この屋根部２６は、バックボード５２のコネクタ２８や表示器１２のコネクタ２２の上方を覆うように設けられている。これにより、バックボード５２のコネクタ２８や表示器１２のコネクタ２２への切削液の付着を抑制することができる。
【００３０】
また本実施の形態の数値制御装置１０では、筐体１８が表示器１２に取り付けられている状態で、筐体１８の上面１８ａであって、屋根部２６の後部分に傾斜面１８ｇが設けられている。これにより、筐体１８の上面１８ａ上であって、屋根部２６の後方の切削液等を排出することができるため、バックボード５２のコネクタ２８や表示器１２のコネクタ２２への切削液の付着を抑制することができる。
【００３１】
〔実施の形態から得られる技術的思想〕
上記実施の形態から把握しうる技術的思想について、以下に記載する。
【００３２】
表示器（１２）と一体に接続される数値制御装置（１０）であって、前記表示器（１２）の背面（１２ａ）に設置され、少なくとも前記表示器（１２）の背面（１２ａ）と対向する面（１８ｄ）が覆われている箱型の筐体（１８）と、前記筐体（１８）内に収容されているプリント基板（５２）と、前記筐体（１８）の前記表示器（１２）の背面（１２ａ）と対向する面（１８ｄ）から外部に露出し、前記プリント基板（５２）と前記表示器（１２）とを接続するコネクタ（２８）と、前記表示器（１２）の背面（１２ａ）から突出して形成され、前記コネクタ（２８）の上方を覆う屋根部（２６）と、を有する。これにより、プリント基板（５２）のコネクタ（２８）や表示器（１２）のコネクタ（２２）への切削液の付着を抑制することができる。
【００３３】
上記の数値制御装置（１０）であって、前記屋根部（２６）は、前記屋根部（２６）の少なくとも一部が前記筐体（１８）の内部に位置してもよい。これにより、プリント基板（５２）のコネクタ（２８）や表示器（１２）のコネクタ（２２）への切削液の付着を、より抑制することができる。
【００３４】
上記の数値制御装置（１０）であって、前記屋根部（２６）は、前記コネクタ（２８）の上面および側面を覆っていてもよい。これにより、プリント基板（５２）のコネクタ（２８）や表示器（１２）のコネクタ（２２）への切削液の付着を、より抑制することができる。
【００３５】
上記の数値制御装置（１０）であって、前記屋根部（２６）は、前記筐体（１８）の上面（１８ａ）の上方に位置してもよい。これにより、プリント基板（５２）のコネクタ（２８）や表示器（１２）のコネクタ（２２）への切削液の付着を抑制することができる。
【００３６】
上記の数値制御装置（１０）であって、前記筐体（１８）の前記上面（１８ａ）は、前記表示器（１２）と対向する面（１８ｄ）から、前記表示器（１２）と対向する面（１８ｄ）と反対側の面（１８ｅ）に向かって、下る方向に傾斜する傾斜面（１８ｇ）を有し、前記傾斜面（１８ｇ）は、前記数値制御装置（１０）を背面側から見たときに、少なくとも前記屋根部（２６）が設けられている位置に形成されてもよい。これにより、プリント基板（５２）のコネクタ（２８）や表示器（１２）のコネクタ（２２）への切削液の付着を、より抑制することができる。
【符号の説明】
【００３７】
１０…数値制御装置                      １２…表示器
１８…筐体                              １８ｇ…傾斜面
２６…屋根部                            ２８…コネクタ
５２…バックボード
【図１】
2019109561.tif 000003
【図２】
2019109561.tif 000004
【図３】
2019109561.tif 000005
【図４】
2019109561.tif 000006
【図５】
2019109561.tif 000007
【図６】
2019109561.tif 000008
【図７】
2019109561.tif 000009
【図８】
2019109561.tif 000010